(57)【特許請求の範囲】
【請求項１】
液体収納容器の所定箇所に、ポンプに一端が接続されている管の他端を接続する構造において、
前記液体収納容器には筒状部が形成されており、
前記筒状部には外面に係合部と、前記筒状部を密閉するキャップ部と、を有し、
前記管の中間部には鍔状部が形成され、
前記鍔状部のポンプ側の面に接し、少なくとも一方向に所定の距離移動可能とするスリットを有する板状部分と、前記筒状部の係合部に係合し得る係合片部分と、前記板状部分と前記係合片部分を相対的な位置関係が変わらないように連結する係合片部分と、からなる連結部材を備え、
前記管の他端を前記キャップ部内へ挿入し前記キャップ部と前記鍔状部が当接した状態で、前記係合部へ前記係合片部分が係合するように前記連結部材を移動させることによって、前記管を前記キャップ部に挿入した状態に保持することを特徴とする液体収納容器と管の接続構造。
【請求項２】
前記管を中心に回動させることが可能で、前記連結部材の板状部分のスリット幅以下の幅とスリット幅より大きい長さを持つ長方形部材が前記管の鍔状部よりポンプ側に鍔状部と間隙を持って配置され、前記長方形部材をその幅方向が前記連結部材のスリットの長さ方向に合致するような状態にして前記連結部材を装着した後、前記長方形部材を回動させることによって前記連結部材の装着状態を維持し得るようにした請求項１に記載の液体収納容器と管の接続構造。
【発明の詳細な説明】
【０００１】
【発明の属する技術分野】
本発明は、感光材料を処理する処理液の補充液を封入した補充液容器から補充液を吸出するために補充ポンプの吸引側に一端が接続された管を補充液容器の一部に突き刺して補充液容器と補充ポンプとを接続する構造に関する。
【０００２】
【従来の技術及び発明が解決しようとする課題】
例えば、感光材料処理装置として挙げられるＸ−レイ用感材のような写真感光材料を現像する自動現像機では、感光材料が、現像液、定着液、水洗水の各処理液で処理される。現像液、定着液、水洗水はそれぞれ、現像槽、定着槽、水洗槽に溜められ、感光材料は、それら処理液中に順次に浸漬し搬送される。
【０００３】
現像液は、現像処理に従って消費され、あるいは、蒸発される等して減り、また、劣化等を生じ、それらに対応するために補充を要する。その補充に供される補充液は補充液容器に用意されてその補充液は補充ポンプによって吸引され、現像槽内に送られる。定着液についても同様である。
【０００４】
ここで、補充液容器は形状可変な袋状容器であり、補充液容器へは一端が補充ポンプの吸引側に接続された管の他端が補充液容器の一部を突き刺して補充ポンプとの接続がなされる。容器がハードな形状不変である場合に容器内の補充液を吸引するには、容器内の補充液が減るのに従って大気を容器内へ導入する必要がある。これに対して、容器が形状可変である場合には、容器内の補充液が吸引されるに従い容器内の補充液が減る分だけ容器内容積が縮小する。従って、容器内への大気の導入を要することなく補充液の吸引が可能となる。容器内への大気の導入を要しないことによって、容器内の補充液が空気に接触して劣化することをも防止できる。
【０００５】
さて、管を容器に突き刺して接続した後は管が不用意に抜けないように、また液漏れ等が生じないように、確実な接続をするための配慮が必要である。特に、容器の壁は管を突き刺し易くする必要があるため、突き刺した後に管との相対的な姿勢を安定させ得るような剛性をもたせるのは難しい。管の姿勢が不安定となれば、確実な接続が維持できない。
【０００６】
一方、補充液容器内の補充液がなくなって容器が空になれば、オペレータはこの容器を新たな容器に交換する必要がある。その際、管から空の容器を外した後、新たな容器を接続する。容器の交換頻度は決して低くはない。
【０００７】
管と補充液容器への接続にあたって、確実な接続を行うにあたって接続作業が面倒となることは好ましいことではない。
【０００８】
本発明は、上記事情に鑑み、容易かつ迅速な接続作業で、確実な接続を得ることができる補充液容器とポンプに接続される管との接続構造を提供することを目的とする。
【０００９】
【課題を解決するための手段】
請求項１に記載の本発明の液体収納容器と管の接続構造は、液体収納容器の内部と連通する筒状部へポンプに接続された管を挿入して接続する構造において、前記液体収納容器には筒状部が形成されており、前記筒状部には外面に係合部と、前記筒状部を密閉するキャップ部と、を有し、前記管の中間部には鍔状部が形成され、前記鍔状部のポンプ側の面に接し、少なくとも一方向に所定の距離移動可能とするスリットを有する板状部分と、前記筒状部の係合部に係合し得る係合片部分と、前記板状部分と前記係合片部分を相対的な位置関係が変わらないように連結する係合片部分と、からなる連結部材を備え、前記管の他端を前記キャップ部内へ挿入し前記キャップ部と前記鍔状部が当接した状態で、前記係合部へ前記係合片部分が係合するように前記連結部材を移動させることによって、前記管を前記キャップ部に挿入した状態に保持することを特徴とする。
【００１０】
請求項２に記載の発明の液体収納容器と管の接続構造は、請求項１の構成において、
前記管を中心に回動させることが可能で、前記連結部材の板状部分のスリット幅以下の幅とスリット幅より大きい長さを持つ長方形部材が、前記管の鍔状部よりポンプ側に鍔状部と間隙を持って配置され、前記長方形部材をその幅方向が前記連結部材のスリットの長さ方向に合致するような状態にして前記連結部材を装着した後、前記長方形部材を回動させることによって前記連結部材の装着状態を維持し得るようにしたことを特徴とする。
【００１１】
上記構成によれば、請求項１に記載の発明では、管を液体収納容器に接続するときに、液体収納容器の筒状部に管の鍔状部を対向させ、管の他端をキャップ部内へ挿入し鍔状部がキャップ部に当接した状態で、連結部材によって管と液体収納容器を連結する。連結部材は筒状部に形成されている係合部と係合片部分に係合して、鍔状部を板状部分によって押さえる。また、板状部分は結合片部分によって筒状部の係合部との相対位置が保持されるため、この板状部分によって移動が制限された鍔状部により、管が筒状部に連結されて保持される。
【００１２】
また、連結部材を管に対して管の長さ方向と直交する方向へ相対移動させることにより、筒状部の係合部と連結部材の係合片部分との係合が解除され、鍔状部の押さえがなくなり、鍔状部と共に管がその長さ方向への移動が可能となり、液体収納容器に設けている筒状部から管を抜き出すことができる。
【００１３】
これにより、連結部材の板状部分を管の長さ方向と直交する方向の移動により、管の液体収納容器への連結保持及び連結保持の解除を行うことができる。また、液体収納容器に連結した管が筒状部から抜き出すのを阻止して、液体収納容器と管の連結状態を確実に保持することができる。
【００１４】
請求項２に記載の発明によれば、管に設けている長方形部材と鍔部とによって板状部分を挟むことにより、管に対して板状部材が管の長さ方向に沿った相対移動を押さえることができる。また、板状部分と管とを相対的に回動させることにより、板状部分に形成しているスリットによって管の長さ方向に沿った回動を可能にしている。このような管と連結部材の相対的な回動により、管の筒状部への着脱が容易となると共に、管の筒状部から抜き出しを確実に防止することができる。
【００１５】
このような、本発明では、鍔部に対する板状部材の容易な移動または係合部と係合片部分の係合の容易な解除を許容しない種々の装着手段を設けることができ、より確実に管を液体収納容器に連結することができ好ましい。
【００１６】
【発明の実施の形態】
以下、本発明に係る補充液容器への管の接続構造の一実施の形態を図１乃至図１６に基づき説明する。
【００１７】
図１に示すように、感光材料処理装置、例えば、Ｘ−レイ用感材のような写真感光材料（以下、一例として「フィルム」とする）を現像する自動現像機では、現像槽１０、定着槽１２、水洗槽１４が並設され、現像槽１０、定着槽１２、水洗槽１４内にはそれぞれ、現像液、定着液、水洗水が貯留される。フィルムは、現像槽１０、定着槽１２及び水洗槽１４内を順に搬送され、現像液、定着液及び水洗水に浸漬されて、現像、定着及び水洗の各処理液処理がなされる。なお、図示は省略するが、水洗後のフィルムは乾燥部を通って乾燥され、乾燥後に装置外に排出される。
【００１８】
ここで、現像槽１０内の現像液は、現像処理に従い消費され、また、蒸発等によって減り、あるいは、酸化して劣化等する。現像液の減少を補うため、また、機能を維持するために、現像補充液の補充が必要となる。そのための補充液が、補充ポンプ１６によって現像槽１０内に供給される。
【００１９】
図１２に示すように、補充液は、液体収納容器である容器２０に封入されている。本実施の形態に適用した容器２０の基本構成は、１枚の可撓性のシート２４を折り返して重ねて周囲を固着し、あるいは、可撓性のシート２４を２枚重ねて周囲を固着する等によって形成された形状可変な袋状である。
【００２０】
容器２０の上面の一部には、内部の補充液を吸引するための蓋を接続するための接続部２２が設けられている。図８に示すように、接続部２２は、筒状部として適用した筒体２６を備えている。筒体２６は、シート２４に略円形に形成された貫通孔２８に設けられ、容器２０内と容器２０の外方とを連通可能に設けられている。なお、以下の説明は、筒体２６の突出方向を上方とした場合についてのものである。
【００２１】
筒体２６の下端には、係合部として止めフランジ３０が一体に形成されている。この止めフランジ３０は、筒体２６の外周面から半径方向の外方へ突設されており、止めフランジ３０の上面には、貫通孔２８の孔縁部が緊密に固着されている。筒体２６の上端（容器２０から突出した先端）には、キャップ３２が嵌められている。
【００２２】
キャップ３２は、底付き円筒状とされ、その底の中央部には、容器２０の内方側へ向けた窪みが形成されており、また、キャップ３２には、この窪みから容器２０の内方へ向けて突出された円筒状の挿入部３４が一体に形成されている。挿入部３４内は、それと一体に形成された円板状の閉部３６によって閉じられている。閉部３６は、挿入部３４の上端より少し下方に位置して、閉部３６の上側にキャップ３２の底との間に凹部を形成すると共に、このキャップ３２は、閉部３６によって容器２０内を密閉している。
【００２３】
挿入部３４の外周には、容器２０内に臨むチューブ３７が嵌合されており、このチューブ３７によって挿入部３４が容器２０内へ延長されている。また、図２に示すように、筒体２６の上下方向（軸方向）中間部には、外周面から半径方向の外方へ突設された円板状の係合フランジ３８が一体に形成されている。
【００２４】
一方、図１に示すように、補充ポンプ１６の吸込口４０には、ホース４２を介して接続管４４が接続されている。図２に示されるように、接続管４４の上端部には、ホース４２との接続口４６が形成され、接続管４４の下端部を注射針状の刺通部４８で構成している。刺通部４８は、図９に示すように、矢印Ａの向きに、上記閉部３６を突き破って刺し込まれることにより、キャップ３２の挿入部３４内に挿入される。
【００２５】
なお、キャップ３２へ接続管４４の刺通部４８を挿入するときには、キャップ３２の底が窪みが形成され、また、この窪みから閉部３６がさらに凹部を形成するように設けられているので、接続管４４の刺通部４８の刺通時に、刺通部４８が閉部３６にスムーズに案内される。また、キャップ３２の底は樹脂ゴム等の耐薬品性の高い弾性体によって形成されており、挿入された刺通部４８の周面との間が緊密に閉塞される。また、刺通部４８は先端が斜めにカットされており、閉部３６への刺し通しが容易となっている。
【００２６】
接続管４４の刺通状態では、補充ポンプ１６の作動により、容器２０内の補充液がチューブ３７を通り、接続管４４を経て吸い出し可能となる。なお、容器２０は形状可変な袋状であり、補充液が吸引されて容器２０内の補充液が減るのに伴い容器２０内容積が縮小され、容器２０内への大気の導入がなくとも補充液の吸い出しが可能となっており、容器２０内の補充液が空気に触れて劣化するのを防止している。
【００２７】
接続管４４の上下方向（軸方向、ないし、刺通方向Ａに沿った方向）中間部には、鍔状部として外周面から円形の鍔部５０が一体に形成されている。図９に示すように、鍔部５０は、接続管４４の刺通部４８の刺通状態で、筒体２６の突出先端に嵌められたキャップ３２の底の周部と当接することにより、接続管４４の刺通長さが規制される。
【００２８】
図２に示すように、接続管４４には、連結部材である保持プレート５２が装着される。保持プレート５２は、板状部分とする装着片５４と、連結片部分とする脚片５６とが設けられている。脚片５６は、装着片５４の一端から垂下されており、装着片５４と脚片５６とによって保持プレート５２が略Ｌ字状に形成されている。
【００２９】
装着片５４には、脚片５６と反対側に円孔５８が形成されるとともに、脚片５６の側に、円孔５８から連続してスリットを形成する矩形孔６０が穿設されている。装着片５４に設けられている円孔５８は、接続管４４の接続口４６側が挿入可能な大きさとなっており、また、この円孔５８へ接続管４４を挿入したときに、鍔部５０でその挿入が規制される大きさとされる。
【００３０】
接続管４４の外周には、鍔部５０と少し間隔を置いてその上方に一対の矩形のガイド片６２が長方形部材として突設されて一体に形成されている。ガイド片６２は、直径方向の両側に対向するように形成されている。ガイド片６２は、接続管４４の軸心側の基端部が肉厚とされ、先端部が肉薄とされ、その間に、段差６３が形成されている。また、ガイド片６２は、先端部が基端部に比して、鍔部５０との間隔が大きくかつ、段差６３が傾斜している。
【００３１】
接続管４４は保持プレート５２の円孔５８内へ鍔部５０まで挿入された状態で、円孔５８から矩形孔６０の間を移動可能となっている。すなわち、接続管４４の鍔部５０とガイド片６２との間の部分が矩形孔６０内を相対的に、矩形孔６０の円孔５８との連通端と、この連通端と反対側の閉塞端との間を移動可能とされる。これにより、保持プレート５２が刺通接続管４４と相対的に接続管４４の軸方向と直角の方向へ移動して、接続管４４の鍔部５０とガイド片６２との間の部分が矩形孔６０内の円孔５８の側に位置する第１位置（図１０に示す位置）と、接続管４４の鍔部５０とガイド片６２との間の部分が矩形孔６０内の円孔５８とは反対側に位置する第２位置（図６に示す位置）とを取り得る。矢印日方向は、保持プレート５２の接続管４４に対する第１位置から第２位置へ向けての移動方向を示している。
【００３２】
装着片５４の上面には、第１凸部６４と第２凸部６６とが突設されている。第１凸部６４は、保持プレート５２の第１位置と第２位置との間の移動方向に沿って延びて矩形孔６０の円孔５８との連通端と、この連通端と反対側の閉塞端とに渡り、矩形孔６０の孔縁から少し間を置いて形成されている。また、第２凸部６６は、第１凸部６４の円孔５８の側の端において屈曲形成され、第１凸部６４と矩形孔６０を挟んで対称に矩形孔６０の閉塞端へ向けて形成されている。
【００３３】
装着片５４の下面には、保持プレート５２の第１位置と第２位置との間の移動方向から見て、円孔５８を介して左右に、一対の突起６８が突設されている。
【００３４】
さらに、鍔部５０の上面には、突起６８に対応する２対の凹部７０、７２が形成されている。一の対の凹部７０と他の対の凹部７２とは、ガイド片６２の互いの対向方向から見て左右に位置し、また、一の対の凹部７０の中の一方の凹部７０、他の対の凹部７２の一方の凹部７２と、一の対の凹部７０の中の他方の凹部７２、他の対の凹部７２の他方の凹部７２とは、ガイド片６２の互いの対向方向と直角の方向から見て左右に位置している。
【００３５】
保持プレート５２は、接続管４４を容器２０の接続部２２へ装着したときに、接続管４４と接続部２２を連結する役目を有しており、第１凸部６４、第２凸部６６とガイド片６２と突起６８と凹部７０、７２とは、保持プレート５２に対する接続管４４の移動を制限している。
【００３６】
すなわち、ガイド片６２の互いの対向方向が保持プレート５２の第１位置と第２位置との間の移動方向とされる接続管４４と保持プレート５２との間の相対的な第１回動位置（図３、図４の位置）で、接続管４４の鍔部５０とガイド片６２との間の部分が円孔５８から矩形孔６０内に入り込み、矩形孔６０内を移動して図５に示すように第２位置へ到達することができ、その第２位置で、ガイド片６２の互いの対向方向が保持プレート５２の第１位置と第２位置との間の移動方向と直角の方向となる接続管４４と保持プレート５２との間の相対的な第２回動位置（図６、図７の位置）へ９０°回動することができる。保持プレート５２の接続管４４に対する第１回動位置から第２回動位置へ向けての回動方向を矢印Ｃで図示する。
【００３７】
保持プレート５２が第１回動位置ではなくて第２回動位置で接続管４４の鍔部５０とガイド片６２との間の部分が円孔５８から矩形孔６０内に入り込もうとしてもそれは不可である。ガイド片６２の肉厚とされた基端部が第２凸部６６を越えることができない。
【００３８】
これに対して、保持プレート５２が第１回動位置であれば、ガイド片６２が第２凸部６６と干渉しない位置にあり、接続管４４の鍔部５０とガイド片６２との間の部分が円孔５８から矩形孔６０内に入り込むことが可能である。
【００３９】
また、接続管４４の鍔部５０とガイド片６２との間の部分が円孔５８から矩形孔６０内に入り込んだ後で保持プレート５２が第２位置へ到達する前に保持プレート５２が第１回動位置から第２回動位置へ回動しようとしてもそれは不可である。突起６８が鍔部５０の上面に当接することによりガイド片６２の段差６３が第１凸部６４を越すことができない。
【００４０】
これに対して、保持プレート５２が第２位置へ到達すれば、突起６８が鍔部５０から外れるので、ガイド片６２の段差６３が第１凸部６４を越して、ガイド片６２の肉厚とされた基端部が、装着片６４の矩形孔６０と第１凸部６４との間に入り込み、ガイド片６２の肉薄とされた先端部が第１凸部６４の上側に位置することができ、保持プレート５２の第１回動位置から第２回動位置への回動が可能となる。
【００４１】
第２回動位置では、保持プレート５２が第２位置から第１位置へ向けて移動するのに伴い突起６８が鍔部５０外から鍔部５０の上面に当接し、保持プレート５２が第１位置に達すると突起６８が凹部７０内に入り込む。逆に、保持プレート５２が第１位置から第２位置へ移動するのに伴い突起６８が凹部７０から出て鍔部５０の上面に当接し、保持プレート５２が第２位置に達すると突起６８が鍔部５０外へ出る。保持プレート５２の移動に伴う抵抗は、突起６８が鍔部５０の上面に当接しているときが大きく、その抵抗感の相違が、第１位置と第２位置との間の変更に節度感を与える。
【００４２】
第１回動位置、第２回動位置のいずれの回動位置でも、接続管４４の鍔部５０とガイド片６２との間の部分が、矩形孔６０の円孔５８との連通端とは反対側の閉塞端に当接することによりそれ以上の保持プレート５２の移動が阻止される。
【００４３】
第１回動位置では、ガイド片６２の互いの対向方向が、その移動方向に沿った方向であるので、保持プレート５２を接続管４４から取り外すことができるが、第２回動位置では、ガイド片６２の肉厚とされた基端部が第２凸部６６を越えることができないのでガイド片６２の肉厚とされた基端部が第２凸部６６と当接することによりそれ以上の移動が阻止され、保持プレート５２を接続管４４から取り外すことができない。
【００４４】
なお、装着片５４の上面には凸状マーク７４が形成され、その凸状マーク７４に対応してはガイド片６２の上面に凹状マーク７６が形成され、保持プレート５２の第２回動位置でかつ第２位置では、凸状マーク７４が凹状マーク７６と一致し、保持プレート５２が第２位置にあるか否かを目視で知ることができる。
【００４５】
なお、凹部７０、７２の各対が、ガイド片６２の互いの対向方向線を介して対称配置され、また、凹状マーク７６が、ガイド片６２の互いの対向方向と直角な方向線を介して対称配置され、更には、凸状マーク７４が保持プレート５２の第１位置と第２位置との間の移動方向線を介して対称配置されているが、これは、保持プレート５２の第１回動位置、第２回動位置がそれぞれ、１８０°逆転した場合にも、ガイド片６２の対向方向が保持プレート５２の第１位置と第２位置との間の移動方向である限り、保持プレート５２の接続管４４への装着を可能とし、また、保持プレート５２の第１回動位置から第２回動位置への回動方向も時計方向、反時計方向のいずれでも可能とする。これにより、保持プレート５２の接続管４４への装着が容易となる。
【００４６】
保持プレート５２の脚片５６には、接続部２２の筒体２６に形成されている係合フランジ３８に対応して、下端部に刺通部４８へ向けて突設された係合爪７８が係合片部分として一体に形成されている。係合爪７８は、保持プレート５２に対する接続管４４のの第１位置では接続管４４と離間した位置（図９の位置）であり、第２位置では接続管４４と近接した位置（図１１の位置）となる。これにより、接続管４４の刺通部４８をキャップ３２へ刺通抜去するときに、保持プレート５２に対して接続管４４をの第１位置に配置すれば、係合爪７８が筒体２６の係合フランジ３８と離間する。また、接続管４４が刺通されて鍔部５０の下面がキャップ３２の上面に当接した状態で、保持プレート５２に対して接続管４４を第２位置（図１１の位置）へ相対移動させることにより、係合爪７８が係合フランジ３８の下面と係合し、接続管４４の抜去が阻止される。これにより、筒体２６が、鍔部５０と係合爪７８との間で軸方向に挟み込まれる。このようにして容器２０への接続がなされる。
【００４７】
以上は、現像液について説明したが、定着液についても、現像液と同様に補充が必要であり、図１に示すように、補充ポンプ８０によって補充液が定着槽１２に供給される。この場合にも、現像液の場合と同様に、補充ポンプ８０の吸出口８２と接続された接続管４４を用いて、補充液を封入した容器８６から補充液を吸出することが行われる。そして、容器８６について、また、その容器８６の接続部２２への接続構造については、上述した接続構造と同様の構造が採られている。
【００４８】
一方、現像液を補充する補充液を封入した容器２０と定着液を補充する補充液を封入した容器８６とは、一体に梱包されて提供される。すなわち、図１３に示すように、容器２０と容器８６とがそれぞれ別個の内箱９０に収容されるとともに、それらは、共通の外箱９２に並べて収容されている。内箱９０、外箱９２は例えば、ダンボール製とされる。内箱９０の上壁に相当する部分には、支持片９４が形成される。支持片９４は、矩形部９６と矩形部の１辺中央から突出した突出部９８とを備え、支持片９４の外形線に沿っては、矩形部９６の突出部９８と反対側の辺１０２を除いてミシン目状の切り込みを有した脆弱部１００が形成されている。脆弱部１００を破断して上記辺１０２をヒンジとして展開可能とされる。突出部９８はこの先端部分に、ミシン目状の切り込みを有して切除可能な略円形の切除部１０４を備えている。
【００４９】
このように内箱９０に収容されて提供された容器２０、８６は、次のようにして使用される。
【００５０】
なお、図８に示すように、接続部２２の筒体２６には外周に、支持フランジ１０８が一体に形成されている。支持フランジ１０８は、係合フランジ３８と止めフランジ３０との間にそれらと間隔を置いて対向位置する。
【００５１】
まず、図１４に示すように、支持片９４を上方へ展開し、次に、切除部１０４を切除する。
【００５２】
次に、図１５に示すように、支持片９４が展開されて内箱９０に形成された開口１０６の中の矩形部９６に対応する開口部分１１２から容器２０の接続部２２を引き出し、接続部２２へ接続管４４、保持プレート５２を用いて接続を行う。
【００５３】
そして、接続部２２の筒体２６の支持フランジ１０８と止めフランジ３０との間の部分を、筒体２６の軸方向と直角の方向へ、開口１０６の中の突出部９８に対応する開口部分１１０内へ挿入させる。図１６に示すように、その状態で、支持片９４を閉めれば、切除部１０４に対応して開放されたままで残る開口部分１５０（図１５を参照）に、接続部２２の筒体２６の支持フランジ１０８と止めフランジ３０との間の部分が係止され、筒体２６の突出方向が上方とされて接続部２２が支持される（図１１を参照）。
【００５４】
これにより、容器２０、８６のフレキシブルな性質に拘らず接続部２２の姿勢が安定化される。
【００５５】
なお、容器２０、容器８６に、それらにそれぞれ封入される現像液を補充する補充液、定着液を補充する補充液を同量として封入し、そして、補充液が同量とされた容器２０、容器８６を共通の外箱９２に収納して提供すれば、容器２０、８６の交換時期を同時とすることができ、交換作業の労力が削減される。
【００５６】
上記構成によれば、補充液が容器２０に封入されており、接続管４４が容器２０の閉部３６に刺通されて容器２０への接続がなされている。
【００５７】
現像液がフィルムの処理に従い消費され、また、蒸発される等によって減るのに対応し、あるいは、現像液の劣化等に対応するために、現像液の補充を要する場合に、補充液が、補充ポンプ１６によって、接続管４４を通して容器２０内から吸出される。
【００５８】
容器２０が形状可変の袋状であることにより、容器２０内の補充液が吸出されるのに従い容器２０内の補充液が減る分だけ容器２０内容積が縮小される。これにより、容器２０内への大気の導入を要することなく補充液の吸出が可能となる。容器２０内への大気の導入を要しないことによって、容器２０内の補充液の酸化による劣化等も阻止される。
【００５９】
ここで、容器２０への接続は、次のようにして行われる。
まず、保持プレート５２を第１位置に位置させ、接続管４４を筒体２６の突出先端から筒体２２の内部に挿入し、閉部３６に刺通させる。これにより容器２０内の補充液の吸出が可能となる。
【００６０】
次に、保持プレート５２を第２位置へ移動させる。このとき、接続管４４の鍔部５０が筒体２６の突出先端と当接して刺通長さを規制し、保持プレート５２の係合爪７８が筒体２６の係合フランジ３８の下面と係合して接続管４４の抜去を阻止し、そられ鍔部５０と係合爪７８とが、保持プレート５２を刺通方向に沿った方向で挟み込む。接続管４４は、保持プレート５２に対する姿勢変動が抑制され、従って、保持プレート５２に支持された閉部３６に対して姿勢が安定化され、適正な接続が維持される。
【００６１】
特に、閉部３６は、接続管４４を刺通し易くする上で、接続管４４を刺通させただけで接続管４４の姿勢を安定させる得るような剛性を有するのは難しい。このような点で、本発明は効果的である。
【００６２】
容器２０との接続を解くには、保持プレート５２を第２位置から第１位置へ移動させ、筒体２６の係合フランジ３８の下面から保持プレート５２の係合爪７８を離脱させれば、接続管４４を閉部３６から抜去することができる。
【００６３】
このように、接続管４４を閉部３６に刺通させ、保持プレート５２を第１位置から第２位置へ移動させて保持プレート５２の係合爪７８を筒体２６の係合フランジ３８と係合させるだけで、接続が完了し、接続管４４が適正な状態に保持されて、容易かつ迅速な接続作業で、確実な接続を得ることができる。
【００６４】
また、保持プレート５２の第２回動位置では、保持プレート５２の接続管４４からの取り外しが不可とされることによって、保持プレート５２の接続管４４からの不用意な脱落が阻止される。
【００６５】
定着液を封入した容器８８への接続にあたっても、同様の作用効果が得られる。
【００６６】
【発明の効果】
以上に説明したように、本発明では、液体収納容器と管とを接続したときに、管の長さ方向に沿った移動を許容しないので、管の抜き出しを確実に防止することができる。また、連結部材の管に対する相対移動によって容易に連結を解除することができ、管の液体収納容器への着脱が容易となる優れた効果を有する。
【図面の簡単な説明】
【図１】本発明の一の実施の形態に係る補充液容器への接続構造を適用した感光材料処理装置の概要を示す斜視図である。
【図２】本実施の形態の補充液容器への接続構造に係り、接続前の状態を示す斜視図である。
【図３】本実施の形態の補充液容器への接続構造に係り、保持プレートの吸出管への装着過程を示し、刺通方向を見た図である。
【図４】図３に示す装着過程に対応し、刺通方向と直角の方向でかつ第１位置と第２位置との間の移動方向に沿って見た図である。
【図５】図３の次の装着過程を示す図３に対応する図である。
【図６】保持プレートの吸出管への装着を完了した状態であり、第２位置を示す図３に対応する図である。
【図７】図６に示す状態に対応し、第１位置から第２位置を見た図である。
【図８】吸出管の刺通前の状態を容器の接続部との関係で示し、刺通方向と直角の方向でかつ第１位置と第２位置との間の移動方向に沿って見た図である。
【図９】刺通状態を示す図８に対応する図である。
【図１０】第１位置を示し、刺通方向を見た図である。
【図１１】接続完了状態を示す図８に対応する図である。
【図１２】容器を示す外観斜視図である。
【図１３】容器の提供状態を示し、外箱の上壁に相当する部分を展開した斜視図である。
【図１４】容器の使用開始過程を示す斜視図である。
【図１５】次の過程を示す図１４に対応する一部省略図である。
【図１６】容器の使用開始過程の終了状態を示す図１４に対応する図である。
【符号の説明】
１６、８０  補充ポンプ
２０、８６  容器（液体収納容器）
２２  接続部
２６  筒体（筒状部）
３６  閉部
３８  係合フランジ（係合部）
４２  ホース（管）
４４  接続管（管）
５０  鍔部（鍔状部）
５２  保持プレート（連結部材）
５４  装着片（板状部分）
５６  脚片（結合片部分）
６０  矩形孔（スリット）
６２  ガイド片（長方形部材）
６４  第１凸部
６６  第２凸部
６８  突起
７０、７２  凹部
７８  係合爪（係合片部分）
【図１】
0003693747.tif 000002
【図２】
0003693747.tif 000003
【図３】
0003693747.tif 000004
【図４】
0003693747.tif 000005
【図５】
0003693747.tif 000006
【図６】
0003693747.tif 000007
【図７】
0003693747.tif 000008
【図８】
0003693747.tif 000009
【図９】
0003693747.tif 000010
【図１０】
0003693747.tif 000011
【図１１】
0003693747.tif 000012
【図１２】
0003693747.tif 000013
【図１３】
0003693747.tif 000014
【図１４】
0003693747.tif 000015
【図１５】
0003693747.tif 000016
【図１６】
0003693747.tif 000017